(57)【特許請求の範囲】
【請求項１】
薬品と副作用との組み合わせの特異性を示す特異性情報が記憶された副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示する表示処理部と、
入力される一又は複数の症状に応じて一組又は複数組の前記薬品と前記副作用との組み合わせを抽出する抽出処理部と、
を備え、
前記副作用データベースにおいて、前記副作用ごとに一又は複数の前記症状が対応付けられており、
前記特異性情報が、前記副作用が発現する可能性のある前記薬品の種類が少ないほど前記特異性が高くなるように予め設定された情報であり、
前記抽出処理部が、記憶部に記憶されている前記副作用データベースに基づいて、前記症状が発現している患者に処方されている前記薬品を含む複数の前記症状に対応する前記副作用を含む前記組み合わせの中から、前記症状に応じて一組又は複数組の前記薬品と前記副作用との組み合わせを抽出し、
前記表示処理部が、前記抽出処理部により複数組の前記薬品と前記副作用との組み合わせが抽出された場合に、前記組み合わせのうち前記特異性情報が示す特異性が高い一組又は複数組の前記組み合わせ或いは前記組み合わせに含まれる前記薬品又は前記副作用を優先して表示部に表示する、
副作用情報提供システム。
【請求項２】
前記表示処理部が、記憶部に記憶されている前記副作用データベースに基づいて、複数組の前記薬品と前記副作用との組み合わせ或いは前記組み合わせに含まれる前記薬品又は前記副作用を前記特異性が高い順に並べて表示部に表示する、又は、複数組の前記薬品と前記副作用との組み合わせのうち前記特異性が最も高い前記組み合わせのみ、或いは前記特異性の高さが予め定められた高順位以上の前記組み合わせのみを表示部に表示する、
請求項１に記載の副作用情報提供システム。  
【請求項３】
薬品と副作用との組み合わせの特異性を示す特異性情報が記憶された副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示する表示処理部を備え、
前記特異性情報が、前記副作用が発現する可能性のある前記薬品の種類が少ないほど前記特異性が高くなるように予め設定された情報であり、
前記表示処理部が、記憶部に記憶されている前記副作用データベースに基づいて、複数組の前記薬品と前記副作用との組み合わせ或いは前記組み合わせに含まれる前記薬品又は前記副作用を前記特異性が高い順に並べて表示部に表示する副作用情報提供システム。
【請求項４】
入力される一又は複数の症状に応じて一組又は複数組の前記薬品と前記副作用との組み合わせを抽出する抽出処理部を更に備え、
前記表示処理部が、前記抽出処理部により複数組の前記薬品と前記副作用との組み合わせが抽出された場合に、前記組み合わせのうち前記特異性情報が示す特異性が高い一組又は複数組の前記組み合わせ或いは前記組み合わせに含まれる前記薬品又は前記副作用を優先して表示する請求項３に記載の副作用情報提供システム。
【請求項５】
前記副作用データベースにおいて、前記副作用ごとに一又は複数の前記症状が対応付けられており、
前記抽出処理部が、前記副作用データベースに基づいて、一又は複数の前記症状に対応する前記副作用を含む前記組み合わせの中から一組又は複数組の前記薬品と前記副作用との組み合わせを抽出する請求項４に記載の副作用情報提供システム。
【請求項６】
前記抽出処理部が、前記症状が発現している患者に処方されている前記薬品を含む複数組の前記薬品と前記副作用との組み合わせから、前記症状に応じて一組又は複数組の前記組み合わせを抽出する請求項４又は５に記載の副作用情報提供システム。
【請求項７】
前記表示処理部が、
前記薬品と前記副作用との組み合わせごとに、入力された前記症状のうち前記副作用に予め対応付けられた症状に該当する件数を症状発現件数として特定すると共に、前記薬品の服用時に前記副作用が発現する頻度を示す発現頻度を記憶部に記憶されている前記薬品の添付文書の情報に基づいて特定し、
前記抽出処理部で抽出された複数組の前記薬品と前記副作用との組み合わせのうち前記特異性が高い前記組み合わせ或いは前記組み合わせに含まれる前記薬品又は前記副作用を優先して表示すると共に、前記特異性が同じ組み合わせについて、前記症状発現件数が多い組み合わせ又は前記発現頻度が高い組み合わせ或いは前記組み合わせに含まれる前記薬品又は前記副作用を優先して表示するものである請求項１、２、４〜６のいずれかに記載の副作用情報提供システム。
【請求項８】
前記表示処理部が、
前記薬品と前記副作用との組み合わせごとに、入力された前記症状のうち前記副作用に予め対応付けられた症状に該当する件数を症状発現件数として特定すると共に、前記薬品の服用時に前記副作用が発現する頻度を示す発現頻度を記憶部に記憶されている前記薬品の添付文書の情報に基づいて特定し、
前記抽出処理部で抽出された複数組の前記薬品と前記副作用との組み合わせのうち前記症状発現件数が多い組み合わせ及び前記発現頻度が高い組み合わせ或いは前記組み合わせに含まれる前記薬品又は前記副作用を優先して表示すると共に、前記症状発現件数及び前記発現頻度が同じ組み合わせについて、前記特異性が高い組み合わせ或いは前記組み合わせに含まれる前記薬品又は前記副作用を優先して表示する請求項１、２、４〜６のいずれかに記載の副作用情報提供システム。
【請求項９】
前記表示処理部が、前記薬品ごとにおける前記薬品と前記副作用との組み合わせ各々の順位である第１順位を前記特異性情報に応じて特定すると共に、前記第１順位が最も高い前記薬品と前記副作用との組み合わせ各々の順位である第２順位を前記特異性情報に応じて特定し、前記第２順位が高い前記組み合わせ或いは前記組み合わせに含まれる前記薬品又は前記副作用を優先して表示する請求項１〜８のいずれかに記載の副作用情報提供システム。
【請求項１０】
前記表示処理部が、複数組の前記薬品と前記副作用との組み合わせを前記第２順位が高い順で予め定められた第１方向に並べて表示すると共に、前記薬品ごとに前記薬品と前記副作用との組み合わせを前記第１順位が高い順で前記第１方向に垂直な第２方向に並べて表示する請求項９に記載の副作用情報提供システム。
【請求項１１】
前記特異性情報が、予め定められた特定数の薬品成分が薬効ごとのグループに分類されている場合に、前記特異性情報に対応する前記薬品に含まれる薬品成分と同じグループに属する薬品成分のうち前記特異性情報に対応する前記副作用が発現する薬品成分の数の割合と、前記特定数の薬品成分から前記特異性情報に対応する前記副作用が発現する薬品成分の数を引いた残りの薬品成分の数のうち前記特異性情報に対応する前記副作用が発現する薬品成分の数の割合とに応じて設定される情報である請求項１〜１０のいずれかに記載の副作用情報提供システム。
【請求項１２】
前記特異性情報が、前記特異性情報に対応する前記薬品に含まれる薬品成分と同じグループに属する薬品成分のうち前記特異性情報に対応する前記副作用が発現する薬品成分の数の割合から、前記特定数の薬品成分から前記特異性情報に対応する前記副作用が発現する薬品成分の数を引いた残りの薬品成分の数のうち前記特異性情報に対応する前記副作用が発現する薬品成分の数の割合を引いた値に応じて設定される情報である請求項１１に記載の副作用情報提供システム。
【請求項１３】
前記副作用データベースが記憶された記憶部を更に備え、
前記表示処理部が、前記記憶部に記憶されている前記副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示する請求項１〜１２のいずれかに記載の副作用情報提供システム。
【請求項１４】
コンピュータに、薬品と副作用との組み合わせの特異性を示す特異性情報が記憶された副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示させる表示ステップと、入力される一又は複数の症状に応じて一組又は複数組の前記薬品と前記副作用との組み合わせを抽出する抽出ステップと、を実行させるための副作用情報提供プログラムであって、
前記副作用データベースにおいて、前記副作用ごとに一又は複数の前記症状が対応付けられており、
前記特異性情報が、前記副作用が発現する可能性のある前記薬品の種類が少ないほど前記特異性が高くなるように予め設定された情報であり、
前記抽出ステップでは、記憶部に記憶されている前記副作用データベースに基づいて、前記症状が発現している患者に処方されている前記薬品を含む複数の前記症状に対応する前記副作用を含む前記組み合わせの中から、前記症状に応じて一組又は複数組の前記薬品と前記副作用との組み合わせが抽出され、
前記表示ステップでは、前記抽出ステップにより複数組の前記薬品と前記副作用との組み合わせが抽出された場合に、前記組み合わせのうち前記特異性情報が示す特異性が高い一組又は複数組の前記組み合わせ或いは前記組み合わせに含まれる前記薬品又は前記副作用が優先して表示部に表示される、
副作用情報提供プログラム。
【請求項１５】
コンピュータに、入力される一又は複数の症状に応じて一組又は複数組の前記薬品と前記副作用との組み合わせを抽出する抽出ステップを実行させ、
前記表示ステップでは、前記抽出ステップにより複数組の前記薬品と前記副作用との組み合わせが抽出された場合に、前記組み合わせのうち前記特異性情報が示す特異性が高い一組又は複数組の前記組み合わせ或いは前記組み合わせに含まれる前記薬品又は前記副作用が優先して表示される請求項１４に記載の副作用情報提供プログラム。
【発明の詳細な説明】
【技術分野】
【０００１】
本発明は、薬品及び副作用が対応付けられた副作用データベースのデータ構造、並びに前記副作用データベースを用いる副作用情報提供システム及び副作用情報提供プログラムに関する。
【背景技術】
【０００２】
薬品の添付文書には、薬品の服用に起因して発現する可能性のある副作用が記載されている。そして、病院又は薬局などの医療機関において、医師又は薬剤師は、患者に発現している症状から副作用を特定すると共に、薬品各々の添付文書を参照し、その副作用の原因となっている疑いのある薬品（被疑薬）を特定することがある。一方、薬品と副作用とが対応付けられたデータベースを用いて、患者に発現している副作用からその副作用の原因となっている薬品を特定するシステムが知られている（例えば特許文献１参照）。
【先行技術文献】
【特許文献】
【０００３】
【特許文献１】特開２００２−２４５１７２号公報
【発明の概要】
【発明が解決しようとする課題】
【０００４】
しかしながら、薬品の添付文書に記載されている副作用には、例えば発疹及び嘔吐症などのように多数の薬品に共通する副作用も含まれている。そのため、患者に発現している副作用が多数の薬品に共通する副作用である場合には、その副作用の原因となっている薬品を特定することが困難な場合がある。
【０００５】
本発明の目的は、患者に発現している症状から薬品と副作用との組み合わせを判断する作業を容易にするための情報を提供することが可能な副作用情報提供システム、副作用情報提供プログラム、並びにこれらに用いられる副作用データベースのデータ構造を提供することにある。
【課題を解決するための手段】
【０００６】
本発明に係る副作用情報提供システムは、薬品と副作用との組み合わせの特異性を示す特異性情報が記憶された副作用データベースに基づいて、複数組の前記薬品と前記副作用との組み合わせのうち前記特異性情報が示す特異性が高い一組又は複数組の前記組み合わせを優先して表示する表示処理部を備える。また、本発明に係る副作用情報提供システムは、薬品と副作用との組み合わせの特異性を示す特異性情報が記憶された副作用データベースに基づいて、複数組の前記薬品と前記副作用との組み合わせのうち前記特異性情報が示す特異性が高い一組又は複数組の前記組み合わせに含まれる前記薬品又は前記副作用を優先して表示する表示処理部を備えるものであってもよい。
【０００７】
本発明によれば、複数組の前記薬品と前記副作用との組み合わせのうち前記特異性が高い組み合わせが優先的に表示されることにより、患者に発現している症状から前記薬品と前記副作用との組み合わせを判断する作業を容易にするための情報が提供される。例えば、医師又は薬剤師などは、前記特異性が低い前記薬品と前記副作用との組み合わせを候補から除外して、前記特異性が高い前記薬品と前記副作用との組み合わせに着目し、前記症状の原因となっている前記薬品と前記副作用との組み合わせを判断することが可能となる。
【０００８】
また、前記副作用情報提供システムが、入入力される一又は複数の症状に応じて一組又は複数組の前記薬品と前記副作用との組み合わせを抽出する抽出処理部を備え、前記表示処理部が、前記抽出処理部により複数組の前記薬品と前記副作用との組み合わせが抽出された場合に、前記組み合わせのうち前記特異性情報が示す特異性が高い一組又は複数組の前記組み合わせ或いは前記組み合わせに含まれる前記薬品又は前記副作用を優先して表示することが考えられる。これにより、前記症状に応じた前記組み合わせの候補が抽出されるため、医師又は薬剤師などが前記症状の原因となっている前記薬品と前記副作用との組み合わせを判断する作業が簡素化される。
【０００９】
具体的には、前記副作用データベースにおいて、前記副作用ごとに一又は複数の前記症状が対応付けられていることが考えられる。この場合、前記抽出処理部が、前記副作用データベースに基づいて、一又は複数の前記症状に対応する前記副作用を含む前記組み合わせの中から一組又は複数組の前記薬品と前記副作用との組み合わせを抽出することが可能である。
【００１０】
また、前記抽出処理部が、前記症状が発現している患者に処方されている前記薬品を含む複数組の前記薬品と前記副作用との組み合わせから、前記症状に応じて一組又は複数組の前記組み合わせを抽出することが考えられる。これにより、前記症状の原因となっている可能性のある前記組み合わせの候補の数を患者に応じて絞り込むことが可能である。
【００１１】
また、前記表示処理部が、複数組の前記薬品と前記副作用との組み合わせ或いは前記組み合わせに含まれる前記薬品又は前記副作用を前記特異性が高い順に並べて表示することが考えられる。また、前記表示処理部が、前記薬品ごとにおける前記薬品と前記副作用との組み合わせ各々の順位である第１順位を前記特異性情報に応じて特定すると共に、前記第１順位が最も高い前記薬品と前記副作用との組み合わせ各々の順位である第２順位を前記特異性情報に応じて特定し、前記第２順位が高い前記組み合わせ或いは前記組み合わせに含まれる前記薬品又は前記副作用を優先して表示することが考えられる。さらに、前記表示処理部が、複数組の前記薬品と前記副作用との組み合わせを前記第２順位が高い順で予め定められた第１方向に並べて表示すると共に、前記薬品ごとに前記薬品と前記副作用との組み合わせを前記第１順位が高い順で前記第１方向に垂直な第２方向に並べて表示することが考えられる。これにより、医師又は薬剤師は、前記組み合わせの表示順に従って、前記症状の原因である前記組み合わせを特定するための作業を効率的に行うことが可能となる。
【００１２】
ところで、前記特異性情報は、前記副作用が発現する可能性のある前記薬品の種類が少ないほど前記特異性が高くなるように予め設定された情報であることが考えられる。また、前記特異性情報は、予め定められた特定数の薬品成分が薬効ごとのグループに分類されている場合に、前記特異性情報に対応する前記薬品に含まれる薬品成分と同じグループに属する薬品成分のうち前記特異性情報に対応する前記副作用が発現する薬品成分の数の割合と、前記特定数の薬品成分から前記特異性情報に対応する前記副作用が発現する薬品成分の数を引いた残りの薬品成分の数のうち前記特異性情報に対応する前記副作用が発現する薬品成分の数の割合とに応じて設定される情報であることが考えられる。より具体的には、前記特異性情報が、前記特異性情報に対応する前記薬品に含まれる薬品成分と同じグループに属する薬品成分のうち前記特異性情報に対応する前記副作用が発現する薬品成分の数の割合から、前記特定数の薬品成分から前記特異性情報に対応する前記副作用が発現する薬品成分の数を引いた残りの薬品成分の数のうち前記特異性情報に対応する前記副作用が発現する薬品成分の数の割合を引いた値に応じて設定される情報であることが考えられる。これにより、前記症状の原因となっている前記薬品と前記副作用との組み合わせを特定する際に、前記症状の原因となっている可能性が高い前記薬品と前記副作用との組み合わせを容易に判断することが可能となる。
【００１３】
また、前記表示処理部が、前記薬品と前記副作用との組み合わせごとに、入力された前記症状のうち前記副作用に予め対応付けられた症状の件数を示す症状発現件数と前記薬品の服用時に前記副作用が発現する頻度を示す発現頻度とを特定することが考えられる。この場合、前記表示処理部が、前記抽出処理部で抽出された複数組の前記薬品と前記副作用との組み合わせのうち前記特異性が高い前記組み合わせ或いは前記組み合わせに含まれる前記薬品又は前記副作用を優先して表示すると共に、前記特異性が同じ組み合わせについて、前記症状発現件数が多い組み合わせ又は前記発現頻度が高い組み合わせ或いは前記組み合わせに含まれる前記薬品又は前記副作用を優先して表示するものであることが考えられる。また、前記表示処理部が、前記抽出処理部で抽出された複数組の前記薬品と前記副作用との組み合わせのうち前記症状発現件数が多い組み合わせ及び前記発現頻度が高い組み合わせ或いは前記組み合わせに含まれる前記薬品又は前記副作用を優先して表示すると共に、前記症状発現件数及び前記発現頻度が同じ組み合わせについて、前記特異性が高い組み合わせ或いは前記組み合わせに含まれる前記薬品又は前記副作用を優先して表示することも考えられる。
【００１４】
前記副作用情報提供システムの具体的構成としては、前記副作用データベースが記憶された記憶部を備えており、前記表示処理部が、前記記憶部に記憶されている前記副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示することが考えられる。
【００１５】
また、本発明に係る副作用情報提供プログラムは、コンピュータに、薬品と副作用との組み合わせの特異性を示す特異性情報が記憶された副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示させる表示ステップを実行させるための副作用情報提供プログラムである。
【００１６】
また、前記副作用情報提供プログラムは、コンピュータに、入力される一又は複数の症状に応じて一組又は複数組の前記薬品と前記副作用との組み合わせを抽出する抽出ステップを実行させるためのプログラムであることが考えられる。この場合、前記表示ステップでは、前記抽出ステップにより複数組の前記薬品と前記副作用との組み合わせが抽出された場合に、前記組み合わせのうち前記特異性情報が示す特異性が高い一組又は複数組の前記組み合わせ或いは前記組み合わせに含まれる前記薬品又は前記副作用が優先して表示される。
【００１７】
また、本発明に係る副作用データベースのデータ構造は、コンピュータにより複数組の薬品と副作用との組み合わせから一組又複数組の組み合わせを優先して表示する処理が実行される際に用いられる副作用データベースのデータ構造であって、前記薬品と前記副作用との組み合わせの特異性を示す特異性情報が記憶されており、前記コンピュータが、前記副作用データベースに基づいて、複数組の前記薬品と前記副作用との組み合わせのうち前記特異性情報が示す特異性が高い一組又は複数組の前記組み合わせ或いは前記組み合わせに含まれる前記薬品又は前記副作用を優先して表示する副作用データベースのデータ構造である。
【００１８】
また、前記副作用データベースのデータ構造において、前記特異性情報が、前記副作用が発現する可能性のある前記薬品の種類が少ないほど前記特異性が高くなるように予め設定された情報であることが考えられる。
【００１９】
さらに、前記副作用データベースのデータ構造において、前記特異性情報が、予め定められた特定数の薬品成分が薬効ごとのグループに分類されている場合に、前記特異性情報に対応する前記薬品に含まれる薬品成分と同じグループに属する薬品成分のうち前記特異性情報に対応する前記副作用が発現する薬品成分の数の割合と、前記特定数の薬品成分から前記特異性情報に対応する前記副作用が発現する薬品成分の数を引いた残りの薬品成分の数のうち前記特異性情報に対応する前記副作用が発現する薬品成分の数の割合とに応じて設定される情報であることが考えられる。
【００２０】
また、前記副作用データベースのデータ構造において、前記薬品と前記副作用との組み合わせごとに、入力された前記症状のうち前記副作用に予め対応付けられた症状の件数を示す症状発現件数と前記薬品の服用時に前記副作用が発現する頻度を示す発現頻度が対応付けられていることが考えられる。
【発明の効果】
【００２１】
本発明によれば、患者に発現している症状から薬品と副作用との組み合わせを判断する作業を容易にするための情報を提供することが可能な副作用情報提供システム、副作用情報提供プログラム、並びにこれらに用いられる副作用データベースのデータ構造が実現される。
【図面の簡単な説明】
【００２２】
【図１】図１は、本発明の実施形態に係る副作用情報提供システムの構成を示すブロック図である。
【図２】図２は、本発明の実施形態に係る副作用情報提供システムが備える副作用データベースの一例を示す図である。
【図３】図３は、本発明の実施形態に係る副作用情報提供システムが備える副作用データベースの副作用テーブルの一例を示す図である。
【図４】図４は、本発明の実施形態に係る副作用情報提供システムで実行される被疑薬特定処理の手順の一例を示すフローチャートである。
【図５】図５は、本発明の実施形態に係る副作用情報提供システムで表示される症状入力画面の一例を示す図である。
【図６】図６は、本発明の実施形態に係る副作用情報提供システムで実行される被疑薬特定処理の過程を説明するための図である。
【図７】図７は、本発明の実施形態に係る副作用情報提供システムで表示される被疑薬特定画面の一例を示す図である。
【図８】図８は、本発明の実施形態に係る副作用情報提供システムで表示される被疑薬特定画面の他の例を示す図である。
【図９】図９は、本発明の実施形態に係る副作用情報提供システムで表示される被疑薬特定画面の他の例を示す図である。
【図１０】図１０は、本発明の実施形態に係る副作用情報提供システムで実行されるモニタリングシート出力処理の一例を示すフローチャートである。
【図１１】図１１は、本発明の実施形態に係る副作用情報提供システムで表示されるモニタリング画面の一例を示す図である。
【発明を実施するための形態】
【００２３】
以下添付図面を参照しながら、本発明の実施形態について説明し、本発明の理解に供する。なお、以下の実施形態は、本発明を具体化した一例であって、本発明の技術的範囲を限定する性格のものではない。
【００２４】
［副作用情報提供システム１０］
図１に示すように、本発明の実施の形態に係る副作用情報提供システム１０は、サーバー１と一又は複数のクライアント端末２とを備える。前記サーバー１及び前記クライアント端末２は、ＬＡＮ、ＷＡＮ、インターネット、又はイントラネットなどの通信網３を介して無線又は有線で通信可能に接続される。
【００２５】
［サーバー１］
図１に示すように、前記サーバー１は、制御部１１、記憶部１２、通信Ｉ／Ｆ１３、表示部１４、操作部１５、及びドライブ装置１６などを備えるコンピュータである。なお、前記サーバー１は、前記サーバー１が使用される病院又は薬局等の医療機関の内部又は外部に設けられる。例えば、前記サーバー１は、パーソナルコンピュータ、タブレット端末、又はスマートフォンなどの情報処理装置である。
【００２６】
また、前記サーバー１には、患者ごとの処方内容を示す処方データを前記サーバー１に入力する電子カルテシステム、オーダーリングシステム、又はレセプトシステムなどの上位システム４が前記通信網３を介して接続される。前記処方データには、例えば患者の氏名、性別、年齢、病棟、担当医師、担当薬剤師などの基本情報、及び患者に処方する処方薬の種類、用量、用法、服用開始日、服用期間、及び服用終了日などの情報が含まれる。なお、前記サーバー１が前記上位システム４から前記処方データを能動的に読み出す構成であってもよい。
【００２７】
前記制御部１１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００２８】
前記記憶部１２は、前記制御部１１によって実行される各種の制御プログラム及び各種のデータが記憶されるハードディスク、ＳＳＤ、又はフラッシュメモリ等の不揮発性の記憶部である。具体的に、前記記憶部１２は、プログラム領域１２１、マスター領域１２２、及びデータベース領域１２３などの記憶領域を有する。
【００２９】
前記プログラム領域１２１には、前記制御部１１に後述の被疑薬特定処理（図３参照）又はモニタリングシート出力処理（図９参照）などの副作用情報提供処理を実行させるための副作用情報提供プログラムが記憶される。なお、前記プログラム領域１２１には、オペレーティングシステム（ＯＳ）及びブラウザソフトなどのアプリケーションプログラムも記憶されている。
【００３０】
前記マスター領域１２２には、薬品マスター、副作用マスター、症状マスター、患者マスター、病棟マスター、医師マスター、及び薬剤師マスターなどの各種のマスター情報が記憶される。例えば、前記薬品マスターでは、薬品の種類と前記薬品の種類を識別するための薬品ＩＤとが対応付けて記憶されている。また、前記薬品マスターでは、前記薬品ＩＤ各々について、薬品名、一般名、ＹＪコード、ＪＡＮコード、ＲＳＳコード、剤形、単位、比重、薬品種、配合変化、賦形薬品、効用、及び注意事項などの情報も対応付けて記憶されている。なお、前記薬品ＩＤは、ＹＪコード、ＪＡＮコード、又はＲＳＳコードなどの識別コードであってもよい。前記副作用マスターでは、副作用の種類と前記副作用の種類を識別するための副作用ＩＤとが対応付けて記憶されている。また、前記症状マスターでは、症状の種類と前記症状の種類を識別するための症状ＩＤとが対応付けて記憶されている。これにより、前記制御部１１は、後述の副作用データベースＤＢ１に記憶されている前記薬品ＩＤ、前記副作用ＩＤ、及び前記症状ＩＤを使用して前記薬品、前記副作用、及び前記症状を識別することが可能である。
【００３１】
前記データベース領域１２３には、前記制御部１１によって前記副作用情報提供処理が実行される際に使用される副作用データベースＤＢ１などが記憶される。前記副作用データベースＤＢ１では、各レコードにおいて、薬品の種類（薬品名）を識別するための前記薬品ＩＤと副作用の種類（副作用名）を識別するための前記副作用ＩＤとが対応付けられている。また、前記副作用データベースＤＢ１では、各レコードにおいて対応付けられた前記薬品と前記副作用との組み合わせごとに、前記組み合わせの特異性を示す特異性情報の一例として特異度が対応付けて記憶されている。このような前記副作用データベースＤＢ１のデータ構造が、本発明に係る副作用データベースのデータ構造の一例である。
【００３２】
ここに、図２は、前記副作用データベースＤＢ１の一例を説明するための模式図である。図２に示す例では、前記副作用データベースＤＢ１に、副作用テーブルＴ１、症状テーブルＴ２、好発時期テーブルＴ３、及び検査リンクテーブルＴ４が含まれる。
【００３３】
前記副作用テーブルＴ１には、前記薬品ＩＤ、前記副作用ＩＤ、重大レベル、本剤レベル、症状グループＩＤ、警告フラグ、特異度、好発時期情報、発現頻度（最小）、及び発現頻度（最大）などを含むレコードが複数記憶されている。前記症状グループＩＤは、前記症状テーブルＴ２内に含まれるレコードを特定するための情報である。前記警告フラグは、薬品の添付文書の「警告」の項目で注意喚起されている副作用であるか否かを示す情報である。前記発現頻度（最小）は、薬品の添付文書に記載されている副作用の発現頻度の最小値（０〜１００％）であり、前記発現頻度（最大）は、薬品の添付文書に記載されている副作用の発現頻度の最大値（０〜１００％）である。なお、前記発現頻度（最小）及び前記発現頻度（最大）が不明の場合、前記発現頻度（最小）及び前記発現頻度（最大）には「−１」の値が入力される。
【００３４】
前記特異度は、薬品と副作用との組み合わせごとに予め設定され、前記薬品の服用時に前記副作用が発現する傾向の高低を判断するための指標となる情報である。具体的に、前記特異度は、予め定められた特定数の薬品成分が予め定められた薬効ごとのグループに分類されている場合に、前記特異度に対応する前記薬品に含まれる薬品成分と同じグループに属する薬品成分のうち前記特異度に対応する前記副作用が発現する薬品成分の数の割合と、前記特定数の薬品成分から前記特異度に対応する前記副作用が発現する薬品成分の数を引いた残りの薬品成分の数のうち前記特異度に対応する前記副作用が発現する薬品成分の数の割合とに応じて設定される情報である。より詳細には、前記特異度は、予め定められた特定数の薬品成分が予め定められた薬効ごとのグループに分類されている場合に、前記特異度に対応する前記薬品に含まれる薬品成分と同じグループに属する薬品成分のうち前記特異度に対応する前記副作用が発現する薬品成分の数の割合から、前記特定数の薬品成分から前記特異度に対応する前記副作用が発現する薬品成分の数を引いた残りの薬品成分の数のうち前記特異度に対応する前記副作用が発現する薬品成分の数の割合を引いた値に応じて設定される情報である。これにより、前記特異度を使用すれば、例えば患者に発現している症状の原因となっている前記薬品と前記副作用との組み合わせを特定する際に、前記症状の原因となっている可能性が高い前記薬品と前記副作用との組み合わせを容易に判断することが可能となる。なお、前記特異度は、前記組み合わせにおける前記副作用が発現する可能性のある前記薬品の種類が少ないほど高くなるように予め設定された情報として捉えてもよい。
【００３５】
具体的に、前記特異度に対応する前記薬品に含まれる薬品成分と同じ薬効のグループに属する薬品成分の数がＭ個であり、前記特定数の薬品成分から前記特異度に対応する前記副作用が発現する薬品成分の数を引いた残りの薬品成分の数がＮ個であるとする。また、Ｍ個の薬品成分のうち、前記特異度に対応する前記副作用が発現する薬品成分の数がＭ１個であり、Ｎ個の薬品成分のうち前記特異度に対応する前記副作が発現する薬品成分の数がＮ１個であるとする。この場合、前記特異度の指標となる指標値Ｔは、下記（１）式に従って算出される。
【００３６】
Ｔ＝Ｍ１／Ｍ−Ｎ１／Ｎ      ・・・（１）
【００３７】
そして、前記特異度は、前記指標値Ｔに基づいて、予め定められた範囲ごとに対応する「０」〜「９」の１０段階のいずれかに設定される。ここでは、前記特異度は「０」が最も特異性が低い値であり、「９」が最も特異性が高い値であるとする。
【００３８】
具体的に、前記特異度は、前記指標値Ｔが、０．２未満の場合に「０」、０．２以上０．３未満の場合に「１」、０．３以上０．４未満の場合に「２」、０．４以上０．５未満の場合に「３」、０．５以上０．６未満の場合に「４」、０．６以上０．７未満の場合に「５」、０．７以上０．８未満の場合に「６」、０．８以上０．９未満の場合に「７」、０．９以上１．０未満の場合に「８」、１．０である場合に「９」に設定される。なお、前記特異度の振り分けは１０段階に限らず、例えば「高」、「中」、「低」のような３段階であってもよい。また、前記指標値Ｔの値を前記特異度として使用することも考えられる。
【００３９】
ここに、図３は、前記薬品と前記副作用との組み合わせと前記特異度との対応関係の一例を示す図である。ここでは、図３を参照しつつ、「プロカテロール塩酸塩錠５０μｇ「日医工」」及び「サクシゾン注射用３００ｍｇ」の薬品を例に挙げて前記薬品と前記副作用との組み合わせに対応付けられる前記特異度について説明する。
【００４０】
まず、「プロカテロール塩酸塩錠５０μｇ「日医工」」の薬品と「ショック」の副作用との組み合わせに対応付する特異度について説明する。ここで、「プロカテロール塩酸塩錠５０μｇ「日医工」」の薬効である「呼吸器系に作用するβ２刺激薬」と同じグループに属する薬品成分が１４種類存在し、そのうち「ショック」の副作用が発現するおそれのある薬品成分が３種類存在するものとする。また、「呼吸器系に作用するβ２刺激薬」と同じグループに属していない薬品成分が２７１７種類存在し、そのうち「ショック」の副作用が発現するおそれのある薬品成分が８３６種類存在するものとする。即ち、Ｍ＝１４、Ｍ１＝３、Ｎ＝２７１７、Ｎ１＝８３６である。この場合、前記指標値Ｔは、前記（１）式に従って「３／１４−８３６／２７１７」により「−０．０９３」となり、前記指標値Ｔが０．２未満であるため前記特異度は「０」となる。
【００４１】
同じく、「プロカテロール塩酸塩錠５０μｇ「日医工」」の薬品と「アナフィラキシー様症状」の副作用との組み合わせに対応する特異度について説明する。ここで、「プロカテロール塩酸塩錠５０μｇ「日医工」」の薬効である「呼吸器系に作用するβ２刺激薬」と同じグループに属する薬品成分が１４種類存在し、そのうち「アナフィラキシー様症状」の副作用が発現するおそれのある薬品成分が６種類存在するものとする。また、「呼吸器系に作用するβ２刺激薬」と同じグループに属していない薬品成分が２７１７種類存在し、そのうち「アナフィラキシー様症状」の副作用が発現するおそれのある薬品成分が４９４種類存在するものとする。即ち、Ｍ＝１４、Ｍ１＝６、Ｎ＝２７１７、Ｎ１＝４９４である。この場合、前記指標値Ｔは、前記（１）式に従って「６／１４−４９４／２７１７」により「０．２４７」となり、前記指標値Ｔが０．２以上０．３未満であるため前記特異度は「１」となる。
【００４２】
続いて、「サクシゾン注射用３００ｍｇ」の薬品と「浮腫」の副作用との組み合わせに対応する特異度について説明する。ここで、「サクシゾン注射用３００ｍｇ」の薬効である「副腎皮質ステロイド」と同じグループに属する薬品成分が２２種類存在し、そのうち「浮腫」の副作用が発現するおそれのある薬品成分が２２種類存在するものとする。また、「副腎皮質ステロイド」と同じグループに属していない薬品成分が２７０９種類存在し、そのうち「浮腫」の副作用が発現するおそれのある薬品成分が８３６種類存在するものとする。即ち、Ｍ＝２２、Ｍ１＝２２、Ｎ＝２７０９、Ｎ１＝８３６である。この場合、前記指標値Ｔは、前記（１）式に従って「２２／２２−８３６／２７０９」により「０．７３６」となり、前記指標値Ｔが０．７以上０．８未満であるため前記特異度は「６」となる。
【００４３】
同じく、「サクシゾン注射用３００ｍｇ」の薬品と「腱断裂」の副作用との組み合わせに対応する特異度について説明する。ここで、「サクシゾン注射用３００ｍｇ」の薬効である「副腎皮質ステロイド」と同じグループに属する薬品成分が２２種類存在し、そのうち「腱断裂」の副作用が発現するおそれのある薬品成分が６種類存在するものとする。また、「副腎皮質ステロイド」と同じグループに属していない薬品成分が２７０９種類存在し、そのうち「腱断裂」の副作用が発現するおそれのある薬品成分が１４種類存在するものとする。即ち、Ｍ＝２２、Ｍ１＝６、Ｎ＝１４、Ｎ１＝２７０９である。この場合、前記指標値Ｔは、前記（１）式に従って「６／２２−１４／２７０９」により「０．２６８」となり、前記指標値Ｔが０．２以上０．３未満であるため前記特異度は「１」となる。
【００４４】
なお、前記特異度は、予め定められた特定数の薬品成分が予め定められた薬効ごとのグループに分類されている場合に、前記特異度に対応する前記薬品に含まれる薬品成分と同じグループに属する薬品成分のうち前記特異度に対応する前記副作用が発現する薬品成分の数の割合から、前記特定数の薬品成分のうち前記特異度に対応する前記副作用が発現する薬品成分の数の割合を引いた値に応じて設定される情報であることも考えられる。この場合、前記特定数の薬品成分の数をＬ個とすると、前記特異度の指標となる指標値Ｔは、下記（２）式に従って算出される。
【００４５】
Ｔ＝Ｍ１／Ｍ−Ｎ１／Ｌ      ・・・（２）
【００４６】
前記症状テーブルＴ２には、前記症状グループＩＤ、前記症状ＩＤ、自覚症状フラグ、他覚症状フラグ、検査所見症状フラグ、及び初期症状フラグなどを含むレコードが複数記憶されている。前記自覚症状フラグ、前記他覚症状フラグ、及び前記検査所見症状フラグは、前記症状ＩＤに対応する症状の種別を示す情報である。前記症状の種別には、患者が自ら発見することのできる症状である自覚症状、患者以外の医師又は薬剤師などの医療スタッフから客観的に発見することのできる他覚症状、及び検査の結果に応じて発見することのできる検査所見症状が含まれる。
【００４７】
具体的に、前記自覚症状フラグは、前記症状ＩＤに対応する症状が前記自覚症状であるか否かを示すものであり、前記自覚症状である場合に「１」、前記自覚症状でない場合に「０」に設定されている。同じく、前記他覚症状フラグは、前記症状ＩＤに対応する症状が前記他覚症状であるか否かを示すものであり、前記他覚症状である場合に「１」、前記他覚症状でない場合に「０」に設定されている。また、前記検査所見症状フラグは、前記症状ＩＤに対応する症状が前記検査所見症状であるか否かを示すものであり、前記検査所見症状である場合に「１」、前記検査所見症状でない場合に「０」に設定されている。なお、一つの前記症状グループＩＤについて、前記自覚症状フラグ、前記他覚症状フラグ、及び前記検査所見症状フラグのうち複数のフラグが「１」であることも考えられる。
【００４８】
また、前記初期症状フラグは、前記症状ＩＤに対応する症状が副作用の初期症状として添付文書に記載されている症状であるか否かを示すものであり、前記初期症状である場合に「１」、前記初期症状でない場合に「０」に設定されている。
【００４９】
また、前記好発時期テーブルＴ３には、前記薬品ＩＤ、前記副作用ＩＤ、枝番、好発時期開始区分、好発開始日、及び好発期間などを含むレコードが複数記憶されている。前記好発時期開始区分は、副作用が発現する可能性が高い時期を示すものであり、「０」は使用開始時のみ、「１」は使用期間中、「２」は中止又は休薬開始時を示す。前記好発開始日は、前記好発開始区分が示すタイミングからの好発時期の開始日（０以上）を示す。また、前記好発期間は、副作用が発現する可能性が高い期間の日数を示す。例えば、前記好発時期開始区分が「１」、前記好発開始日が「１」、前記好発期間が「３」である場合には、薬品の服用開始の１日後から３日間の間に副作用が発現する可能性が高いことを示す。
【００５０】
また、前記検査リンクテーブルＴ４には、前記症状ＩＤ、検査ＩＤ、異常高値フラグ、及び異常低値フラグなどを含むレコードが複数記憶されている。前記検査ＩＤは、検査の内容を識別するための情報である。前記異常高値フラグが「１」である場合は、前記検査ＩＤに対応する検査の値が正常値より高い場合に異常と判断することを示し、「０」である場合は、前記検査ＩＤに対応する検査の値が正常値より高い場合でも異常と判断しないことを示す。前記異常低値フラグが「１」である場合は、前記検査ＩＤに対応する検査の値が正常値より低い場合に異常と判断することを示し、「０」である場合は、前記検査ＩＤに対応する検査の値が正常値より低い場合でも異常と判断しないことを示す。なお、前記検査ＩＤに対応する検査の値の変動量に応じて異常を判断する場合、前記検査ＩＤに対応する検査の値と正常値との関係が不明の場合、及び正常値として定められる範囲の高値（上限）又は低値（下限）が明示されていない場合などには、前記異常高値フラグ及び前記異常低値フラグが共に「１」に設定される。
【００５１】
なお、前記副作用データベースＤＢ１のデータ構造はここで説明する態様に限らない。例えば、前述したように前記薬品と前記副作用との組み合わせごとに前記組み合わせに対応する前記特異度が定められている場合に限らず、前記副作用データベースＤＢ１において、前記薬品と前記症状との組み合わせごとに前記特異度が定められていること、又は、前記薬品成分と前記副作用との組み合わせごとに前記特異度が定められていることも考えられる。さらに、前記副作用データベースＤＢ１に記憶される前記特異度は、前記薬品、前記症状、及び前記副作用のうちいずれか一つ又は二つの情報が入力された場合に、残りの一つ又は二つの情報を特定することが可能な情報として、予め設定されたものであればよい。
【００５２】
図１の説明に戻り、前記通信Ｉ／Ｆ１３は、前記通信網３を介して前記クライアント端末２及び前記上位システム４などの外部機器との間で、予め定められた通信プロトコルに従って無線又は有線でデータ通信を実行するネットワークカード等を有する通信インターフェースである。
【００５３】
前記表示部１４は、前記制御部１１からの制御指示に従って各種の情報を表示する液晶ディスプレイ又は有機ＥＬディスプレイなどの表示部である。前記操作部１５は、前記サーバー１に各種の情報を入力するためにユーザーによって操作される操作部である。具体的に、前記操作部１５は、前記表示部１４に表示される各種の操作画面における入力操作を受け付けるキーボード及びマウス（ポインティングデバイス）を含む。また、前記操作部１５は、前記表示部１４に表示される各種の操作画面に対するタッチ操作を受け付けるタッチパネル、又は音声認識により各種情報の入力を受け付ける音声入力装置を含むものであってもよい。
【００５４】
前記ドライブ装置１６は、前記副作用情報提供プログラム及び前記副作用データベースＤＢ１などが記録されたコンピュータ読み取り可能な記録媒体１６１から前記副作用情報提供プログラム及び前記副作用データベースＤＢ１などの情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記副作用情報提供プログラムが前記プログラム領域１２１に記憶され、前記副作用データベースＤＢ１が前記データベース領域１２３に記憶される。
【００５５】
そして、このように構成された前記サーバー１では、前記制御部１１が抽出処理部１１１及び表示処理部１１２を含む。具体的に、前記制御部１１は、前記副作用情報提供プログラムに従って各種の処理を実行することにより、前記抽出処理部１１１及び前記表示処理部１１２として機能する。
【００５６】
前記抽出処理部１１１は、入力される一又は複数の症状に応じて一組又は複数組の薬品と副作用との組み合わせを抽出する。より具体的に、前記抽出処理部１１１は、前記副作用データベースＤＢ１の前記副作用テーブルＴ１及び前記症状テーブルＴ２に基づいて、前記症状に対応する副作用を抽出し、前記副作用に対応する薬品を抽出する。特に、前記抽出処理部１１１は、前記症状が発現している患者に処方されている処方薬である薬品を含む複数の前記薬品と前記副作用との組み合わせから、前記症状に応じて一組又は複数組の前記組み合わせを抽出する。これは、患者に発現している副作用の症状は、患者が服用している薬品が原因と考えられるためである。
【００５７】
前記表示処理部１１２は、前記抽出処理部１１１により複数組の前記薬品及び前記副作用が抽出された場合に、前記データベースに基づいて、前記抽出処理部１１１で抽出された複数組の前記薬品と前記副作用との組み合わせのうち前記特異度が示す特異性が高い前記組み合わせを優先して表示する。より具体的に、前記表示処理部１１１は、前記データベース領域１２３に記憶されている前記副作用データベースＤＢ１に基づいて、複数組の前記薬品と前記副作用との組み合わせを前記特異度が高い順に並べて前記表示部１４又は前記クライアント端末２などに表示する。なお、前記表示処理部１１１は、前記抽出処理部１１１により一組の前記薬品及び前記副作用が抽出された場合には、その抽出された前記薬品と前記副作用との組み合わせを表示する。
【００５８】
また、本実施形態では、前記表示処理部１１１が、前記組み合わせを前記特異性が高い順で並べて表示することにより、前記特異性が高い組み合わせを優先して表示する場合を例に挙げて説明するが、前記特異性が高い組み合わせを優先して表示する手法はこれに限らない。例えば、前記表示処理部１１１が、前記データベース領域１２３に記憶されている前記副作用データベースＤＢ１に基づいて、複数組の前記薬品と前記副作用との組み合わせのうち前記特異度が示す特異性が最も高い前記組み合わせのみ、又は前記特異性の高さが予め定められた高順位以上の前記組み合わせのみを表示することも他の実施形態として考えられる。
【００５９】
さらに、例えば、ある症状の原因となっている薬品のみが特定できればよい状況、又はある症状の原因となっている副作用のみが特定できればよい状況も考えられる。そのため、本実施形態では、前記特異性が高い前記組み合わせが優先して表示される際に、前記薬品と前記副作用との組み合わせが特定可能な状態で表示される場合を例に挙げて説明するが、前記表示処理部１１１が、前記組み合わせに含まれる前記薬品又は前記副作用を表示することも他の実施形態として考えられる。
【００６０】
［クライアント端末２］
前記クライアント端末２は、制御部２１、記憶部２２、通信Ｉ／Ｆ２３、表示部２４、操作部２５、及びドライブ装置２６などを備えるコンピュータである。前記クライアント端末２は、病院の診察室、調剤が行われる調剤室、又は患者が入院する病棟などに設けられ、医師又は薬剤師によって用いられる操作端末である。例えば、前記クライアント端末２は、パーソナルコンピュータ、タブレット端末、又はスマートフォンなどの情報処理装置である。
【００６１】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００６２】
前記記憶部２２は、前記制御部２１によって実行される各種の制御プログラム及び各種のデータが記憶されるハードディスク、ＳＳＤ、又はフラッシュメモリ等の不揮発性の記憶部である。具体的に、前記記憶部２２は、オペレーティングシステム（ＯＳ）及びブラウザソフトなどのアプリケーションプログラムが記憶されるプログラム領域２２１を有する。前記ブラウザソフトは、前記通信網３を介して前記サーバー１にアクセスすることにより前記表示部２４に各種の操作画面などを表示させると共に、前記操作画面における前記操作部２５を用いた入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００６３】
前記通信Ｉ／Ｆ２３は、前記通信網３を介して前記サーバー１などの外部機器との間で、予め定められた通信プロトコルに従って無線又は有線でデータ通信を実行するネットワークカード等を有する通信インターフェースである。
【００６４】
前記表示部２４は、前記制御部２１からの制御指示に従って各種の情報を表示する液晶ディスプレイ又は有機ＥＬディスプレイなどの表示部である。前記操作部２５は、前記クライアント端末２に各種の情報を入力するためにユーザーによって操作される操作部である。具体的に、前記操作部２５は、前記表示部２４に表示される各種の操作画面における入力操作を受け付けるキーボード及びマウス（ポインティングデバイス）を含む。また、前記操作部２５は、前記表示部２４に表示される各種の操作画面に対するタッチ操作を受け付けるタッチパネル、又は音声認識により各種情報の入力を受け付ける音声入力装置を含むものであってもよい。
【００６５】
前記ドライブ装置２６は、前記ＯＳ又は前記ブラウザソフトなどが記録されたコンピュータ読み取り可能な記録媒体２６１から前記ＯＳ又は前記ブラウザソフトなどの情報を読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記プログラム領域２２１に記憶される。
【００６６】
そして、前記副作用情報提供システム１０では、前記サーバー１及び前記クライアント端末２によりサーバクライアントシステムが構成され、前記サーバー１が前記クライアント端末２のユーザー操作に応じて各種情報の表示、記録、及び印刷などの処理などを実行する。即ち、以下に説明する「表示」、「操作」、「選択」、及び「入力」などは、前記クライアント端末２の前記表示部２４及び前記操作部２５を用いて行われるものとする。
【００６７】
なお、前記サーバー１が、前記表示部１４及び前記操作部１５を用いて各種情報の表示処理、記録、及び印刷などの処理を実行することも可能であり、前記サーバー１単体を本発明に係る副作用情報提供システムとして捉えてもよい。また、前記クライアント端末２が本発明に係る副作用情報提供システムとして機能することも考えられる。具体的に、前記副作用情報提供プログラムの一部又は全部がインストールされており、前記クライアント端末２の前記制御部２１が、前記サーバー１から必要な情報を適宜取得して各種情報の表示、記録、及び印刷などの処理を実行することが考えられる。
【００６８】
ところで、薬品の添付文書に記載されている副作用には、必ずしもその薬品特有の副作用だけでなく、例えば発疹及び嘔吐症などのように多数の薬品に共通する副作用も含まれている。そのため、患者に発現している副作用が多数の薬品に共通する副作用である場合には、その副作用の原因のとなっている薬品を特定することが困難な場合がある。これに対し、多くの薬品の添付文書に記載されている副作用をノイズとして仮定し、各薬品に特異的な副作用を機械的に抽出することができれば、患者に生じている症状又は副作用の原因となっている薬品を特定するために有用なシステムが構築可能である。そこで、前記副作用データベースＤＢ１では、薬品の薬効に特異的な副作用を数値化した情報として前記特異度が予め定められている。これにより、前記副作用情報提供システム１０では、前記副作用データベースＤＢ１の前記特異度に基づいて、患者に発現している症状から薬品と副作用との組み合わせを判断する作業を容易にするための情報を提供することが可能である。
【００６９】
［被疑薬特定処理］
以下、図４を参照しつつ、前記サーバー１の前記制御部１１によって実行される前記副作用情報提供処理の一例である被疑薬特定処理について説明する。なお、前記被疑薬特定処理は、例えば、前記クライアント端末２の操作部２５を用いて、副作用の原因となっている疑いのある薬品（被疑薬）を特定するための被疑薬特定機能を発揮させるための操作が行われた場合に実行される。
【００７０】
＜ステップＳ１１＞
まず、ステップＳ１１において、前記制御部１１は、患者に発現している副作用の症状の入力を受け付ける処理を実行し、前記症状の入力が完了すると処理をステップＳ１２に移行させる。具体的に、前記制御部１１は、症状を入力する対象となる患者が選択されると、前記クライアント端末２の表示部２４に、患者に発現している副作用の症状を入力するための症状入力画面Ｄ１１を表示させ、前記症状入力画面Ｄ１１に対する操作入力を受け付ける。なお、前記症状入力画面Ｄ１１では、一又は複数の症状の入力が可能である。
【００７１】
ここに、図５は、前記症状入力画面Ｄ１１の一例を示す図である。図５に示す前記症状入力画面Ｄ１１には、自覚症状欄Ｒ１１、他覚症状欄Ｒ１２、及び検査所見欄Ｒ１３が表示されている。
【００７２】
前記自覚症状欄Ｒ１１は、患者に発現している副作用の症状のうち、患者が自ら訴えることによって得られる自覚症状を入力するための入力欄であり、予め登録された複数の自覚症状から一又は複数の症状を選択入力可能である。図５に示す例では、副作用の症状として「動悸」及び「倦怠感」が選択されている。
【００７３】
前記他覚症状欄Ｒ１２は、医師又は薬剤師などの患者以外の医療スタッフから客観的に捉えることのできる他覚症状を入力するための入力欄であり、予め登録された複数の他覚症状から一又は複数の症状を選択入力可能である。図５に示す例では、副作用の症状として「起坐呼吸」が選択されている。
【００７４】
前記検査所見欄Ｒ１３は、患者について行われた各種の検査の結果に基づいて判断可能な症状を示す検査所見症状が入力される入力欄であって、予め定められた判断基準に応じて自動的に選択入力される。例えば、前記検査リンクテーブルＴ４において、血小板の数の検査に対応する前記検査ＩＤに対応付けられた前記異常低値フラグが「１」であり、検査結果における血小板が予め定められた正常値の範囲未満である場合に、「血小板減少症」が選択されることになる。図５に示す例では、副作用の症状として「血小板減少症」が選択されている。なお、前記検査所見欄Ｒ１３では、医師又は薬剤師などが任意に前記検査所見症状を選択することも可能である。
【００７５】
＜ステップＳ１２＞
次に、ステップＳ１２において、前記制御部１１は、前記ステップＳ１１で入力された一又は複数の症状と、前記副作用データベースＤＢ１とに基づいて、前記症状に対応する一組又は複数組の薬品と副作用との組み合わせを抽出する処理を実行する。なお、前記ステップＳ１２は、本発明に係る抽出ステップの一例であり、前記制御部１１の前記抽出処理部１１１によって実行される。これにより、医師又は薬剤師などが前記症状の原因となっている前記薬品と前記副作用との組み合わせを判断する作業が簡素化される。
【００７６】
具体的に、前記制御部１１は、前記症状が発現している患者の処方データを前記記憶部１２から読み出し、前記患者に処方されている処方薬である薬品を含む複数の前記薬品と前記副作用との組み合わせの中から前記症状に対応する前記薬品と前記副作用との組み合わせを抽出する。即ち、前記症状の原因となっている可能性のある前記組み合わせの候補の数が患者に応じて絞り込まれる。
【００７７】
例えば、前記制御部１１は、前記副作用テーブルＴ１及び前記症状テーブルＴ２に基づいて、前記症状が属する一又は複数の前記症状グループＩＤを特定し、前記症状グループＩＤ各々に対応する一又は複数の前記副作用を抽出する。そして、前記制御部１１は、前記副作用テーブルＴ１に基づいて、処方薬である薬品を含む一組又は複数組の前記薬品と前記副作用との組み合わせのうち、前記症状に応じて抽出された前記副作用を含む一組又は複数組の前記組み合わせを抽出する。なお、前記ステップＳ１１において複数の前記症状が入力されている場合には、少なくとも一つの前記症状に対応する副作用を含む一組又は複数組の前記組み合わせが抽出される。
【００７８】
＜ステップＳ１３＞
続いて、ステップＳ１３において、前記制御部１１は、前記ステップＳ１２で抽出された前記薬品と前記副作用との組み合わせの順位を特定する処理を実行する。以下、図６を参照しつつ、前記組み合わせ各々の順位を特定する手法の一例について説明する。
【００７９】
なお、ここでは、図６に示すように、患者の処方薬に、「シスダイン錠２５０ｍｇ」、「チルミン錠１００」、「プロカテロール塩酸塩錠５０μｇ「日医工」」、「サクシゾン注射用３００ｍｇ」、「イプリフラボン錠２００ｍｇ「タイヨー」」、及び「プランルカストカプセル１１２．５ｍｇ「タイヨー」」の薬品が含まれている場合を例に挙げて説明する。また、患者には、「浮腫」の症状が発現しており、前記ステップＳ１１において、症状として「浮腫」が入力されたものとする。なお、副作用名と症状名とは名称が同じ場合もあり、例えば「浮腫」は、副作用名及び症状名の両方に存在する。ここでは、「浮腫」の症状は、「アナフィラキシー様症状」、「ショック」、「浮腫」、「アナフィラキシーショック」、「むくみ」、「急性腎不全」、「腱断裂」、及び「うっ血性心不全」の副作用の症状として発現する可能性があるものとする。即ち、副作用名及び症状名には、同じ名称が含まれることもあるが、前記症状が患者に発現している症状の名称を示すのに対し、前記副作用は患者に発現している症状の原因となっている副作用の名称を示すものであって、それぞれ区別して用いられる。
【００８０】
前記制御部１１は、まず、前記薬品ごとにおける前記薬品と前記副作用との組み合わせ各々の順位である第１順位を前記特異度に応じて特定する。
【００８１】
具体的に、「サクシゾン注射用３００ｍｇ」の薬品について、「浮腫」との組み合わせの前記特異度は「６」であり、「腱断裂」との組み合わせの前記特異度は「１」であって、「アナフィラキシー様症状」、「うっ血性心不全」、及び「ショック」のそれぞれとの各組み合わせの前記特異度は「０」である。そのため、前記制御部１１は、前記特異度に応じて、「サクシゾン注射用３００ｍｇ」及び「浮腫」の組み合わせの前記第１順位を「１」と特定し、「サクシゾン注射用３００ｍｇ」及び「腱断裂」の組み合わせの前記第１順位を「２」と特定する。また、前記制御部１１は、「サクシゾン注射用３００ｍｇ」と、「アナフィラキシー様症状」、「うっ血性心不全」、及び「ショック」のそれぞれとの各組み合わせの前記第２順位を「３」と特定する。即ち、前記制御部１１は、前記組み合わせ各々について、前記特異度が高いほど前記第１順位が高いと判断する。
【００８２】
同じく、「プロカテロール塩酸塩錠５０μｈ「日医工」」の薬品について、「アナフィラキシー様症状」との組み合わせの前記特異度は「１」であり、「ショック」との組み合わせの前記特異度は「０」である。そのため、前記制御部１１は、前記特異度に応じて、「プロカテロール塩酸塩錠５０μｈ「日医工」」及び「アナフィラキシー様症状」の組み合わせの前記第１順位を「１」と特定し、「プロカテロール塩酸塩錠５０μｈ「日医工」」及び「ショック」の組み合わせの前記第１順位を「２」と特定する。
【００８３】
なお、「シスダイン錠２５０ｍｇ」の薬品について、「アナフィラキシー様症状」、「ショック」、及び「浮腫」のそれぞれとの各組み合わせの前記特異度は「０」である。そのため、前記制御部１１は、前記特異度に応じて、「シスダイン錠２５０ｍｇ」と「アナフィラキシー様症状」、「ショック」、及び「浮腫」のそれぞれとの各組み合わせの前記第１順位を「１」と特定する。なお、その他の前記薬品についても同様に図６に示すように判断されるため、それらの説明は省略する。
【００８４】
そして、前記第１順位が特定されると、前記制御部１１は、前記薬品ごとにおいて前記第１順位が最も高い「１」である前記薬品と前記副作用との組み合わせ各々の順位である第２順位を前記特異度に応じて特定する。即ち、前記制御部１１は、前記薬品と前記副作用との組み合わせ各々の前記第２順位を薬品単位で特定する。
【００８５】
具体的に、「サクシゾン注射用３００ｍｇ」及び「浮腫」の組み合わせの前記特異度が「６」であり、「プランルカストカプセル１１２．５ｍｇ「タイヨー」」及び「浮腫」の組み合わせの前記特異度が「６」である。そのため、前記制御部１１は、「サクシゾン注射用３００ｍｇ」及び「浮腫」の組み合わせの前記第２順位を「１」と特定すると共に、「プランルカストカプセル１１２．５ｍｇ「タイヨー」」及び「浮腫」の組み合わせの前記第２順位を「１」と特定する。
【００８６】
次に、「チルミン錠１００」及び「アナフィラキシーショック」の組み合わせの前記特異度が「５」であり、「プロカテロール塩酸塩錠５０μｇ「日医工」」及び「アナフィラキシー様症状」の組み合わせの前記特異度が「１」である。そのため、前記制御部１１は、「チルミン錠１００」及び「アナフィラキシーショック」の組み合わせの前記第２順位を「２」と特定し、「プロカテロール塩酸塩錠５０μｇ「日医工」」及び「アナフィラキシー様症状」の組み合わせの前記第２順位を「３」と特定する。
【００８７】
同じく、「シスダイン錠２５０ｍｇ」と「アナフィラキシー様症状」、「ショック」、及び「浮腫」各々との組み合わせの前記特異度が「０」であり、「イプリフラボン錠２００ｍｇ「タイヨー」」及び「浮腫」の組み合わせの前記特異度も「０」である。そのため、前記制御部１１は、「シスダイン錠２５０ｍｇ」と「アナフィラキシー様症状」、「ショック」、及び「浮腫」各々との組み合わせの前記第２順位を「４」と特定し、「イプリフラボン錠２００ｍｇ「タイヨー」」及び「浮腫」の組み合わせの前記第２順位も「４」と特定する。なお、前記制御部１１は、前記第１順位を特定することなく、全ての前記薬品と前記副作用との組み合わせ各々の前記第２順位を前記特異度に応じて特定することも考えられる。
【００８８】
＜ステップＳ１４＞
そして、ステップＳ１４において、前記制御部１１は、前記ステップＳ１３で特定された前記薬品と前記副作用との組み合わせの順位に従って、前記症状に対応する前記薬品と前記副作用との組み合わせが示される被疑薬特定画面Ｄ１２を表示する。これにより、医師又は薬剤師は、前記組み合わせの表示順に従って、前記症状の原因である前記組み合わせを特定するための作業を効率的に行うことが可能となる。なお、前記ステップＳ１３〜Ｓ１４は、本発明に係る表示ステップの一例であり、前記制御部１１の前記表示処理部１１２によって実行される。ここに、図７〜図９は、前記被疑薬特定画面Ｄ１２の一例を示す図である。
【００８９】
図７に示すように、前記制御部１１は、前記被疑薬特定画面Ｄ１２において、前記ステップＳ１２で抽出された複数組の前記薬品と前記副作用との組み合わせを、前記第２順位が高い順で上から下に向かう予め定められた第１方向Ｄ１２１に並べて表示することが考えられる。即ち、前記制御部１１は、複数組の前記薬品と前記副作用との組み合わせを、前記薬品単位で前記特異度が高い順に並べて表示することになり、前記特異度が高い前記薬品と前記副作用との組み合わせが優先して表示されることになる。
【００９０】
具体的に、図７に示す例では、前記被疑薬特定画面Ｄ１２において、前記第２順位が「１」である「サクシゾン注射用３００ｍｇ」及び「プランルカストカプセル１１２．５ｍｇ「タイヨー」」が優先して上位に表示されている。続いて、前記第１方向Ｄ１２１に沿って、前記第２順位が「２」である「チルミン錠１００」が表示され、前記第２順位が「３」である「プロカテロール塩酸塩錠５０μｇ「日医工」」が表示され、前記第４順位が「４」である「シスダイン錠２５０ｍｇ」及び「イプリフラボン錠２００ｍｇ「タイヨー」」が表示されている。このとき、前記被疑薬特定画面Ｄ１２では、前記薬品に対応する前記副作用が表示されないことも考えられる。
【００９１】
なお、図７に示す例では、複数組の前記薬品と前記副作用との組み合わせが薬品単位で前記第２順位に従って並べて表示されている。即ち、前述したように、前記第２順位が薬品単位で特定されている。一方、前記制御部１１は、前記第２順位を前記薬品と前記副作用との組み合わせ単位で特定することも考えられる。そして、前記制御部１１は、図８に示すように、前記被疑薬特定画面Ｄ１２において、複数組の前記薬品と前記副作用との組み合わせを、前記組み合わせ単位で前記第２順位に従って並べて表示することが考えられる。また、前記制御部１１は、前記被疑薬特定画面Ｄ１２において、全ての前記薬品と前記副作用との組み合わせを表示してもよいが、図８に示すように、前記特異度が「１」以上であるなどの予め定められた表示条件を満たす前記組み合わせのみを表示させることも考えられる。
【００９２】
さらに、前記制御部１１は、図９に示すように、前記被疑薬特定画面Ｄ１２において、前記薬品ごとに前記薬品と前記副作用との組み合わせを前記第１順位が高い順で前記第１方向Ｄ１２１に垂直な左から右に向かう予め定められた第２方向Ｄ１２２に並べて表示することも考えられる。具体的に、図９に示す例では、前記被疑薬特定画面Ｄ１２において、「サクシゾン注射用３００ｍｇ」の薬品について、前記第１順位が「１」である「浮腫」が優先して左側に表示されている。続いて、前記第２方向Ｄ１２２に沿って、前記第１順位が「２」である「腱断裂」が表示され、前記第１順位が「３」である「アナフィラキシー様症状」、「うっ血性心不全」、及び「ショック」が表示されている。なお、他の薬品についても同様である。
【００９３】
以上説明したように、前記副作用情報提供システム１０では、複数組の前記薬品と前記副作用との組み合わせのうち前記特異度が示す特異性が高い組み合わせが優先的に表示されることにより、患者に発現している症状から前記薬品と前記副作用との組み合わせを判断する作業を容易にするための情報が提供される。これにより、例えば、医師又は薬剤師などは、前記特異性が低い前記薬品と前記副作用との組み合わせを候補から除外して、前記特異性が高い前記薬品と前記副作用との組み合わせに着目し、前記症状の原因となっている前記薬品と前記副作用との組み合わせを判断することが可能となる。
【００９４】
ところで、本実施形態では、前記ステップＳ１３において、前記制御部１１が、前記薬品と前記副作用との組み合わせの順位（第１順位及び第２順位）を特定する際に、前記特異度のみに応じて前記組み合わせの順位を特定する場合を例に挙げて説明した。一方、前記組み合わせの順位を特定する手法はこれに限らない。ここで、前記組み合わせの順位特定手法の他の例として第１の順位特定手法、第２の順位特定手法、及び第３の順位特定手法について説明する。なお、前記順位特定手法各々は、前記第１順位及び前記第２順位のいずれか一方又は両方を特定する際に用いることが可能である。また、前記第１順位及び前記第２順位の特定手法が異なることも考えられる。
【００９５】
［第１の順位特定手法］
まず、前記ステップＳ１３において、前記制御部１１は、前記副作用に対応付けられた症状のうち患者に発現している症状の数を症状発現件数として特定することが考えられる。また、前記ステップＳ１３において、前記制御部１１は、前記薬品の服用時に前記副作用が発現する頻度を示す発現頻度を特定することが考えられる。例えば、前記制御部１１は、薬品の添付文書に記載されている発現頻度（最小）及び発現頻度（最大）の平均値を前記発現頻度として算出する。
【００９６】
そして、前記ステップＳ１３において、前記制御部１１は、前記症状発現件数及び前記発現頻度に基づいて前記組み合わせの順位を特定することができない場合に、前記特異度を用いて順位を特定することが考えられる。例えば、前記制御部１１は、前記症状発現件数に応じて前記組み合わせの順位を特定し、前記症状発現件数が同じ前記組み合わせについては前記発現頻度に応じて前記組み合わせの順位を特定することが考えられる。また、前記制御部１１は、前記発現頻度に応じて前記組み合わせの順位を特定し、前記症状発現件数が同じ前記組み合わせについては前記症状発現件数に応じて前記組み合わせの順位を特定することも考えられる。なお、前記制御部１１は、前記症状発現件数が多いほど前記順位が高く、前記発現頻度が高いほど前記順位が高いと判断する。その後、前記制御部１１は、前記症状発現件数及び前記発現頻度が同じ組み合わせについて、前記特異度に応じて順位を特定することが考えられる。
【００９７】
これにより、前記ステップＳ１４において、前記制御部１１は、前記ステップＳ１２で抽出された複数組の前記薬品と前記副作用との組み合わせのうち前記症状発現件数が多い組み合わせ及び前記発現頻度が高い組み合わせを優先して表示すると共に、前記症状発現件数及び前記発現頻度が同じ組み合わせについて、前記特異性が高い組み合わせを優先して表示することになる。
【００９８】
［第２の順位特定手法］
また、前記ステップＳ１３において、前記制御部１１が、複数組の前記薬品と前記副作用との組み合わせの順位を前記症状発現件数に応じて特定する第１特定処理、前記組み合わせの順位を前記発現頻度に応じて特定する第２特定処理、及び前記組み合わせの順位を前記特異度に応じて特定する第３特定処理をそれぞれ実行することも考えられる。
【００９９】
この場合、前記ステップＳ１４において、前記制御部１１は、前記第１特定処理〜前記第３特定処理のそれぞれにおいて特定された順位で複数組の前記薬品と前記副作用との組み合わせを並び替えた３種類の前記被疑薬特定画面Ｄ１２を表示させることが考えられる。また、前記制御部１１は、前記第１特定処理〜前記第３特定処理のそれぞれにおいて特定された順位の数の合計が低い前記組み合わせを優先して表示させることも考えられる。
【０１００】
さらに、前記制御部１１は、前記ステップＳ１４において、前記クライアント端末２における前記操作部２５のユーザー操作に応じて、前記第１特定処理〜前記第３特定処理のいずれかにおいて特定された順位で複数組の前記薬品と前記副作用との組み合わせを並び替えた結果を前記被疑薬特定画面Ｄ１２として表示させることも考えられる。これにより、ユーザーは、前記症状発現件数、前記発現頻度、及び前記特異度のうち優先したい項目を任意に選択し、前記被疑薬特定処理において所望の処理結果を得ることができる。
【０１０１】
［第３の順位特定手法］
また、前記制御部１１が、前記特異度に従って前記組み合わせ各々の順位を判断した後、前記特異度に従って順位を特定することができない場合に、前記症状発現件数及び前記発現頻度のいずれか一方又は両方に応じて順位を特定することが考えられる。即ち、前記制御部１１は、前記ステップＳ１２で抽出された複数組の前記薬品と前記副作用との組み合わせのうち前記特異度が高い順で優先して表示すると共に、前記特異度が同じ組み合わせについて、前記症状発現件数が多い組み合わせ又は前記発現頻度が高い組み合わせを優先して表示するものであることが考えられる。
【０１０２】
具体的には、前記制御部１１が、前記特異度に応じて前記組み合わせ各々の順位を特定し、前記特異度による順位付けが同順位となる前記組み合わせについて、前記症状発現件数に応じて順位付けを行うことが考えられる。また、この場合、前記制御部１１は、前記症状発現件数による順位付けも同順位となる前記組み合わせについては、前記発現頻度に応じて順位付けを行うことが考えられる。
【０１０３】
同じく、前記制御部１１が、前記特異度に応じて前記組み合わせ各々の順位を特定し、前記特異度による順位付けが同順位となる前記組み合わせについて、前記発現頻度に応じて順位付けを行うことが考えられる。また、この場合、前記制御部１１は、前記発現頻度による順位付けも同順位となる前記組み合わせについては、前記症状発現件数に応じて順位付けを行うことが考えられる。
【０１０４】
さらに、前記制御部１１は、前記クライアント端末２に対するユーザー操作に応じて、前記組み合わせの順位付けにおける前記症状発現件数、前記発現頻度、及び前記特異度の優先順を任意に設定可能であることが考えられる。これにより、ユーザーは、前記症状発現件数、前記発現頻度、及び前記特異度のうち優先したい項目を任意に選択し、前記被疑薬特定処理において所望の処理結果を得ることができる。
【０１０５】
［モニタリングシート出力処理］
続いて、図９を参照しつつ、前記サーバー１の前記制御部１１によって実行される前記副作用情報提供処理の一例であるモニタリングシート出力処理について説明する。なお、前記モニタリングシート出力処理は、例えば、前記クライアント端末２の操作部２５を用いて、患者に処方薬として処方されている薬品に応じて、モニタリングするべき副作用を把握するためのモニタリングシート出力機能を発揮させるための操作が行われた場合に実行される。
【０１０６】
＜ステップＳ２１＞
まず、ステップＳ２１において、前記制御部１１は、患者に処方薬として処方されている薬品の情報の入力を受け付けるための処理を実行する。例えば、前記制御部１１は、前記記憶部１２に記憶されている処方データ及び処方履歴などを読み出し、前記薬品の情報を自動的に入力する。例えば、前記薬品の情報には、前記薬品の種類（名称）、服用開始日、服用期間、及び服用終了日などが含まれる。なお、前記制御部１１は、前記クライアント端末２の前記操作部１５に対する患者の処方薬及び服用期間などの情報の入力を受け付けることも考えられる。
【０１０７】
＜ステップＳ２２＞
次に、ステップＳ２２において、前記制御部１１は、前記副作用データベースＤＢ１に基づいて、前記薬品に対応付けられた前記副作用の症状を抽出する。前記薬品が複数存在する場合には、その複数の薬品についてそれぞれ対応付けられた前記副作用の症状が抽出される。
【０１０８】
＜ステップＳ２３＞
ステップＳ２３において、前記制御部１１は、前記副作用データベースに基づいて、前記ステップＳ２２で抽出された前記副作用の症状を種別ごとに分類する。具体的に、前記制御部１１は、前記副作用テーブルＴ１に基づいて、前記副作用に対応する前記症状グループＩＤを読み出す。次に、前記制御部１１は、前記症状テーブルＴ２に基づいて、前記症状グループＩＤに対応付けられている前記自覚症状フラグ、前記他覚症状フラグ、及び前記検査所見症状フラグを読み出す。そして、前記制御部１１は、前記自覚症状フラグが「１」である場合は、症状の種別が前記自覚症状であると判断する。また、前記制御部１１は、前記他覚症状フラグが「１」である場合は、症状の種別が前記他覚症状であると判断する。さらに、前記制御部１１は、前記検査所見症状フラグが「１」である場合は、症状の種別が前記検査所見症状であると判断する。
【０１０９】
＜ステップＳ２４＞
次に、ステップＳ２４において、前記制御部１１は、前記薬品が処方されている患者についてモニタリングするべき副作用の症状が一覧で示されるモニタリングシートを前記クライアント端末２の表示部２４に表示する。これにより、医師又は薬剤師などは、前記モニタリングシートを参照することにより、患者に処方されている薬品に基づいて発現する可能性のある副作用の症状を容易に把握することができる。
【０１１０】
ここに、図１０は、前記モニタリングシートが表示されたモニタリング画面Ｄ１３の一例を示す図である。図１０に示されているように、前記モニタリングシートには、処方薬領域Ｒ３１、患者確認用領域Ｒ３２、及び医療スタッフ確認用領域Ｒ３３が含まれる。
【０１１１】
前記処方薬領域Ｒ３１には、患者に処方されている薬品、及び前記薬品各々の服用期間が表示される。なお、前記服用期間は、前記処方データに基づいて表示される。前記患者確認用領域Ｒ３２には、前記自覚症状に分類される症状であって、患者に確認するべき症状が表示される。前記医療スタッフ確認用領域Ｒ３３には、医療スタッフが確認するべき症状が表示される他覚症状領域Ｒ３３１及び検査所見領域Ｒ３３２が含まれる。そして、前記他覚症状領域Ｒ３３１には、前記他覚症状に分類される症状が表示され、前記検査所見領域Ｒ３３２には、前記検査所見に分類される症状が表示される。また、前記患者確認用領域Ｒ３２、前記医療スタッフ確認用領域Ｒ３３では、前記自覚症状、前記他覚症状、及び前記検査所見症状について好発時期が示される。具体的には、前記制御部１１によって前記好発時期テーブルＴ３及び前記処方データなどに基づいて前記好発時期が特定され、前記好発時期は、例えば図１０に示すように斜線のハッチングで表示される。なお、前記好発時期の表示は、例えば着色によって行われてもよい。
【０１１２】
なお、前記医療スタッフ確認用領域Ｒ３３には、前記薬品の服用時における前記副作用の症状の好発時期についてのコメントが表示される備考領域Ｒ３３３も含まれる。また、図１０に示されているように、前記制御部１１は、前記症状テーブルＴ２に基づいて、前記症状各々に対応する前記初期症状フラグが「１」である場合には、前記症状に対応する初期症状表示欄Ｒ３５に「○」を表示させる。これにより、医師又は薬剤師などは、前記薬品の服用時に初期症状として発現する可能性の高い症状を容易に判断することができ、その初期症状を漏れなく且つ早期に発見することが可能となる。
【０１１３】
以上説明したように、前記制御部１１は、前記モニタリングシートにおいて、前記薬品に対応して発現する可能性のある副作用の症状を、前記患者確認用領域Ｒ３２及び前記医療スタッフ確認用領域Ｒ３３に分別して表示すると共に、症状各々の種別（前記自覚症状、前記他覚症状、及び前記検査所見症状）を表示する。これにより、医師又は薬剤師などは、前記薬品に対応して発現する可能性のある副作用の症状のうち、例えば患者からの訴えに注意するべき前記自覚症状と、医療スタッフが確認するべき前記他覚症状及び前記検査所見症状とを容易に区別して把握することができる。従って、例えば患者に発現する副作用の症状の発見漏れを抑制することが可能となる。
【符号の説明】
【０１１４】
１    ：サーバー
１０  ：副作用情報提供システム
１１  ：制御部
１１１：抽出処理部
１１２：表示処理部
１２  ：記憶部
１２１：プログラム領域
１２２：マスター領域
１２３：データベース領域
１３  ：通信Ｉ／Ｆ
１４  ：操作部
１５  ：表示部
１６  ：ドライブ装置
２    ：クライアント端末
２１  ：制御部
２２  ：記憶部
２３  ：通信Ｉ／Ｆ
２４  ：操作部
２５  ：表示部
２６  ：ドライブ装置
【図１】
0006466663.tif 000002
【図２】
0006466663.tif 000003
【図３】
0006466663.tif 000004
【図４】
0006466663.tif 000005
【図５】
0006466663.tif 000006
【図６】
0006466663.tif 000007
【図７】
0006466663.tif 000008
【図８】
0006466663.tif 000009
【図９】
0006466663.tif 000010
【図１０】
0006466663.tif 000011
【図１１】
0006466663.tif 000012